(57)【要約】【課題】  本発明の目的は、照明カバーを取付ける際の位置合わせが容易で、正常に取付いたことが分かり、使用中に落下しない照明カバーの取付け構造を提供することにある。【解決手段】    本発明は、上記課題を解決すべく、キャビネットと該キャビネットの上部に備えられる照明の照明カバーとの取付け構造であって、前記照明カバーは裏面の左右に、下方に開放した係止片を有し、前記キャビネットは前記係止片が係止される係止穴を有し、前記係止片が前記係止穴の下部に係合する際に、係止を行うに際しては力要し、係止後に力が不要となる係止片抜け防止手段を備えていることを特徴とする照明カバーの取付け構造を提供する。【選択図】  図２
2010040315.tif 000002
【特許請求の範囲】
【請求項１】
キャビネットと該キャビネットの上部に備えられる照明の照明カバーとの取付け構造であって、
前記照明カバーは裏面の左右に、下方に開放した係止片を有し、
前記キャビネットは前記係止片が係止される係止穴を有し、
前記係止片が前記係止穴の下部に係合する際に、係止を行うに際しては力を要し、係止後に力が不要となる係止片抜け防止手段を備えていることを特徴とする照明カバーの取付け構造。
【請求項２】
前記キャビネットが前記照明カバーを取付け高さ位置に誘導するガイド部を備えることを特徴とする請求項１に記載の照明カバーの取付け構造。
【請求項３】
前記係止片の中央にリブを設け、前記係止穴がＴの字状をしていることを特徴とする請求項１または２に記載の照明カバーの取付け構造。
【請求項４】
前記係止片に、前記照明カバーが正常に取付けられた際に前記係止穴に収まる高さのスライド部を設けたことを特徴とする請求項１から３のいずれか１項に記載の照明カバーの取付け構造。
【請求項５】
前記左右の係止片がそれぞれ上下に設けられ、前記下側の係止片の高さを、前記上側の係止片の高さより小さくしたことを特徴とする照明カバーの取付け構造。
【発明の詳細な説明】
【技術分野】
【０００１】
本発明は、洗面化粧台等のミラーキャビネットの上部に備えられる照明の、照明カバーの取付け構造に関する。 
【背景技術】
【０００２】
洗面所等に設置される洗面化粧台等ではキャビネット本体の正面に鏡を備え、キャビネットの上方には照明器具を有している。洗面化粧台の照明が切れると電球（直管蛍光灯）の交換を行うが、まず照明カバーを外し、電球を交換し、その後照明カバーを元に戻す作業を行う。この作業では、カバーの位置は目線より高い位置に取り付けられており、取外し、取付けの容易な物が求められている。
【０００３】
このため、照明カバーの取付けに際して照明カバーの先端部を注視する必要がなく、簡単で確実な照明カバーの固定方法が提案されている。（特許文献１）
【特許文献１】特開２００３−３４６５４０号公報
【発明の開示】
【発明が解決しようとする課題】
【０００４】
上記特許文献１に記載されている照明カバー構造では、カバーの取付けに際して、カバー係止具が手前側下方へ傾斜した誘導面を有する案内面と照明カバーを押さえるカバー押さえとからなる照明装置が提案され、照明カバーを取付け時にカバーを注視しなくてもよいようになった。しかし、照明カバーの押し込みが正常に行われなかった場合に、照明カバーが使用中に落下するという解決すべき課題がまだある。
【０００５】
そこで、本発明の目的は、照明カバーを取付ける際の位置合わせが容易で、正常に取付いたことが分かり、使用中に落下しない照明カバーの取付け構造を提供することにある。
【課題を解決するための手段】
【０００６】
本発明の一態様によれば、キャビネットと該キャビネットの上部に備えられる照明の照明カバーとの取付け構造であって、前記照明カバーは裏面の左右に、下方に開放した係止片を有し、前記キャビネットは前記係止片が係止される係止穴を有し、前記係止片が前記係止穴の下部に係合する際に、係止を行うに際しては力要し、係止後に力が不要となる係止片抜け防止手段を備えていることを特徴とする照明カバーの取付け構造を提供する。
【発明の効果】
【０００７】
本発明の一態様によれば、照明カバーを取付ける際の位置合わせが容易で、使用中に落下することがない照明カバーの取付け構造を提供することが可能となる。
【発明を実施するための最良の形態】
【０００８】
本発明の照明カバーの取付け構造の第一の実施形態を図１から図４を用いて説明する。
図１は洗面化粧台のキャビネット３と照明カバー１の関係を表す図である。照明カバー１は係止片を表すために便宜上破線で示している。照明カバー１は前面１ａ、上面１ｂ、下面、右面１ｄ、左面から構成され、後面は開口されているが、後面の周淵には折返し１１が設けられている。左右の折り返し面１１ｄには、キャビネット３の係止穴４に係合し引っ掛けられる係止片１１０が突設されている。
【０００９】
図２、図３を用いて、係止片の説明をする。
折り返し面１１ｄから突設して設けられた係止片１１０は下方を開放し、係止穴４に引っ掛けられるようになっている。係止片１１０は、キャビネット３の係止穴４の中に入る垂下部１１１と、係止穴の下辺に載置される上辺部１１２とからなる。また、係止片が引っ掛けられた際の強度を高めるため、垂下部１１１の中央にリブ１１３が設けてもよい。
また、図３に示されているように、係止片１１０の上方には、抜け防止手段となるスライダー部１１４がある。
【００１０】
図４に示すように、係止穴４は、キャビネット側には製作時の寸法誤差などを考慮して、照明カバーの係止片１１０よりもやや大きい開口部４１と、上述したリブ１１３が入る空間４２も形成されて、Ｔの字状（逆凸状）になっている。
【００１１】
左右の係止穴の内側には、照明カバー１を取付ける際に、照明カバーの係止片を係止穴に誘導するガイド部５が一対設けられている。キャビネット３から突設し下面が奥に行くに従って下がる傾斜面を有している。使用者が照明カバーを取付ける際に、特に係止片や係止穴の位置を気にしなくても、照明カバーの下面の裏面部をガイド部５の傾斜面に当て、傾斜面を滑らせると、照明カバーの係止片が、キャビネットの係止穴に位置するようになる。
【００１２】
係止片の上方には、スライダー部１１４が設けられており、照明カバーを取付ける際に抵抗となる。このスライダー部は、照明カバーが正常に取付けられた状態では、係止穴の高さに納まる高さとなっており、照明カバーに下方向から力が加わった際に、照明カバーの脱落防止となる。
【００１３】
本発明の第二の実施形態を図５から図８を用いて説明する。
照明カバーの左右の折り返し面１１ｄに、キャビネット３の係止穴４に係合し引っ掛けられる係止片１１０、１２０が上下に突設されている。係止片は便宜上、上を第一の係止片１１０とし、下を第二の係止部１２０と称する。また、キャビネット３には、これらの係止片に対向するように、上下に係止穴４が形成されている。他の部位については、第一実施例と同様である。
【００１４】
折り返し面１１ｄに突設して設けられた係止片１１０、１２０は下方を開放し、係止穴４に引っ掛けられるようになっている。係止片１１０、１２０は、キャビネット３の係止穴の中に入る垂下部１１１、１２１と、係止穴の下辺に載置される上辺部１１２、１２２とからなる。また、係止片が引っ掛けられた際の強度を高めるため、垂下部の中央にリブ１１３、１２３が設けられている。
【００１５】
ここで、第一の係止片１１０の垂下部１１１の高さは、第二の係止片１２０の垂下部１２１の高さより高くするとよい。こうすると、第一の係止片１１０の垂下部１１１の下端が係合穴に接した際に、第二の係止片１２０の垂下部１２１の下端は、係合穴４の面との間に隙間ができる。第一の係止片１１０の垂下部１１１に対し第二の係止片１２０の垂下部１２１をやや短くすることで第二の係止片１２０の垂下部１２１のみで保持されることを防ぐ効果がある。
【００１６】
また、図７に示されているように、第一の係止部には、照明カバーの抜け防止手段となるスライダー部１１４がある。スライダーの形状や効果は第一の実施形態と同様である。
【００１７】
図８を用いて、係合穴の説明をする。
係止穴４は、キャビネットの係止片の対向する位置に上下に形成されている。係止穴４は製作時の寸法誤差などを考慮して、照明カバーの係止片１１０、１２０よりもやや大きい開口部４１と、上述したリブ１１３、１２３の空間４２も形成されて、Ｔの字状（逆凸状）になっている。
【００１８】
次に、図９を用いて、本発明の取付け構造による照明カバーの取り付け手順を順に追って説明する。
まず、図９（ａ）に示すように、照明カバー下部の折返し部（照明カバー下面の裏面部）が、キャビネット側のガイド部の下面の傾斜面に当たるように位置合わせをする。
【００１９】
照明カバーを本体側へ押していくと、図９（ｂ）に示すように、ガイド部に誘導されて照明カバー１の上下の係止片の垂下部１１１、１２１がキャビネット側の開口部である係止穴４に入る。ガイド部が誘導するため、使用者は係止片や係止穴位置を気にしなくともよい。
【００２０】
図９（ｂ）の状態では、第一係止片１１０のスライダー部１１４がキャビネット３に当接し、照明カバーとキャビネット正面には若干の隙間が生じている。また第一係止片１１０の垂下部１１１は、下端が係止穴の淵に接しているが、第二係止片１２０の垂下部１２１の下端と係止穴の淵には隙間がある状態になっている。
【００２１】
次に、照明カバーを押しながら下方へスライドさせるが、まず、照明カバーを押すと、図９（ｃ）に示すように、第一の係止片１１０のスライダー部１１４が係止穴４の上方のキャビネットを押し、キャビネット側が若干撓む。そして、第一係止片１１０の垂下部１１１が係止穴の淵を越えて、スライドが可能となる。スライドさせるに際しては、第一の係止片１１０のスライダー部１１４がキャビネット側を押すため、抵抗を感じながら下にスライドさせることになる。
【００２２】
仮に、この状態で取付け作業を止めても、係止片がキャビネット側に引っ掛かっていないため照明カバーは保持されず落下する。つまり、正常な取付け状態でないと保持されない。
また、第一の係止片に対し第二の係止片をやや短くすることで第二の係止片のみで保持されることを防いでいる。
【００２３】
スライドを続け、第一係止片１１０のスライダー部１１４が係止穴まで下がると、図９（ｄ）に示すように、キャビネット側の撓みが開放されスライダー部１１４が係止穴に入り込む。使用者は、それまでの抵抗がなくなることで、証明カバーが正常に取付いたことが分かる。
また、第一の係止片のスライダー部１１４は清掃時など照明カバーを下から押し上げた場合でも落下しないようストッパーも兼ねている。
【００２４】
取外す際は、上記手順の逆となるが、取り外す際には、上述したように、第一係止片のスライダー部が抜け防止になっているため、スライダー部が係止穴から抜けるようにしてから、上方に移動させると照明カバーを外すことができる。
【００２５】
以上、本発明によれば、照明カバーを取付ける際の位置合わせが容易で、正常に取付いたことが分かり、使用中に落下しない照明カバーの取付け構造を提供できる。
【図面の簡単な説明】
【００２６】
【図１】本発明の一態様である照明カバーの取付け構造を示す図である。
【図２】本発明の一態様である照明カバーの取付け構造を示す図である。
【図３】本発明の一態様である照明カバーの取付け構造の図である。
【図４】本発明の一態様である照明カバーの取付け構造の図である。
【図５】本発明の一態様である照明カバーの取付け構造を示す図である。
【図６】本発明の一態様である照明カバーの取付け構造を示す図である。
【図７】本発明の一態様である照明カバーの取付け構造を示す図である。
【図８】本発明の一態様である照明カバーの取付け構造を示す図である。
【図９】本発明の一態様である照明カバーの取付け構造を示す図である。
【符号の説明】
【００２７】
１…照明カバー
１１…折り返し部
１１０…第一の係止片
１１１…第一の係止片の垂下部
１１２…第一の係止片の上辺部
１１３…第一の係止片のリブ
１１４…スライダー部
１２０…第二の係止片
１２１…第二の係止片の垂下部
１２２…第二の係止片の上辺部
１２３…第二の係止片のリブ
２…蛍光灯
３…キャビネット
４…係止穴
５…ガイド部
【図１】
2010040315.tif 000003
【図２】
2010040315.tif 000004
【図３】
2010040315.tif 000005
【図４】
2010040315.tif 000006
【図５】
2010040315.tif 000007
【図６】
2010040315.tif 000008
【図７】
2010040315.tif 000009
【図８】
2010040315.tif 000010
【図９】
2010040315.tif 000011